(57)【要約】【課題】照明器具のアドレスを容易にしかも半自動的に付与できる照明システムを提供することである。【解決手段】ｎ行ｍ列の格子状に配設された複数の照明器具１１ａ〜１１ｉからなり、各々の照明器具は、照明器具のアドレス設定情報及びｎ行ｍ列の最大行数ｎのデータを照明光に重畳して送信手段１２により可視光通信し、自己アドレス記憶部１４に自己アドレスが記憶されていないとき、自己以外の複数の照明器具１１から送信されてきたアドレス設定情報及び最大行数ｎのデータを受信し、受信した複数のアドレス設定情報を行座標順に整列して記憶するとともに最大行数ｎを受信データ記憶部１７に記憶し、データ処理手段１５は、受信データ記憶部１７に記憶された複数のアドレス設定情報のうちの行座標が真ん中のアドレス設定情報を自己アドレスとして決定し自己アドレス記憶部１４に記憶する。【選択図】図１
2010073634.tif 000002
【特許請求の範囲】
【請求項１】
ｎ行ｍ列の格子状に配設された複数の照明器具からなり、各々の前記照明器具は、
行座標及び列座標で示された前記照明器具のアドレス設定情報及び前記ｎ行ｍ列の最大行数ｎのデータを照明光に重畳して可視光通信する送信手段と；
前記送信手段から可視光通信されるデータの通信可能範囲を制御する通信可能範囲制御手段と；
自己アドレスを記憶するための自己アドレス記憶部と；
前記自己アドレス記憶部に自己アドレスが記憶されていないとき、自己以外の複数の照明器具の送信手段から送信されてきた前記アドレス設定情報及び前記最大行数ｎのデータを受信する受信手段と；
前記受信手段で受信した複数のアドレス設定情報を行座標順に整列して記憶するとともに前記最大行数ｎを記憶する受信データ記憶部と；
前記受信手段で最後のデータ受信をしてから所定時間の経過後に前記受信データ記憶部に記憶された複数のアドレス設定情報のうちの行座標が真ん中のアドレス設定情報を自己アドレスとして決定し前記自己アドレス記憶部に記憶するとともに、前記自己アドレス記憶部に記憶した自己アドレスの列座標に１を加算したアドレス設定情報を前記送信手段に出力するデータ処理手段と：
を具備したことを特徴とする照明システム。
【請求項２】
前記データ処理手段は、前記受信データ記憶部に記憶された複数のアドレス設定情報のうちの行座標が真ん中のアドレス設定情報がない場合には、複数のアドレス設定情報の行座標に前記最大行数ｎが含まれるアドレス設定情報が存在するか否かを判定し、前記最大行数ｎが含まれるアドレス設定情報が存在しない場合には行座標順に整列した複数のアドレス設定情報の最初行または最終行のいずれか一方にダミーの行座標を有するアドレス設定情報を追加し、前記最大行数ｎが含まれるアドレス設定情報が存在する場合には行座標順に整列した複数のアドレス設定情報の最初行または最終行のいずれか他方にダミーの行座標を有するアドレス設定情報を追加し、前記ダミーの行座標を有するアドレス設定情報を追加した複数のアドレス設定情報のうちの行座標が真ん中のアドレス設定情報を自己アドレスとして決定することを特徴とする請求項１記載の照明システム。
【請求項３】
前記データ処理手段は、自己アドレスが決定され前記自己アドレス記憶部に記憶された状態で、隣接する照明器具が消灯したときは、自己の照明器具を点灯し所定時間の経過後に消灯するとともに、自己の照明器具の点灯中において前記自己アドレス記憶部に記憶した自己アドレスの列座標に１を加算したアドレス設定情報を前記送信手段に出力することを特徴とする請求項１または２記載の照明システム。
【発明の詳細な説明】
【技術分野】
【０００１】
本発明は、複数の照明器具を格子状に配置して形成された照明システムに関する。
【背景技術】
【０００２】
例えば、建家の室内の照明においては天井面に複数の照明器具を配置し、調光制御信号を伝送線を介して照明器具に送信し、照明器具の明るさを一定制御するようにしている。このような照明システムでは、各々の照明器具に予めアドレスが設定されて調光制御が行われている。
【０００３】
グループ化された複数の照明負荷をグループ単位で略同時に調光制御することができるようにするために、調光端末器は、自己の固有アドレスを設定する自己アドレス設定部とは別に、複数の照明負荷を一括して調光制御するための仮想アドレスを記憶する仮想アドレス記憶用メモリを備えたものがある（例えば、特許文献１参照）。
【０００４】
このような照明制御システムにおいて、調光端末器で各照明器具ならびにグループを制御する場合には、制御部から制御対象となる照明器具の指定を行う必要があり、そのために、照明器具にアドレスを付与して照明器具を識別可能としておく必要がある。
【特許文献１】特開平１１−０４５７８３号公報
【発明の開示】
【発明が解決しようとする課題】
【０００５】
しかし、照明システム内の照明器具にアドレスを設定する際には、照明器具を配設した後に、照明器具の点灯及び消灯を手動で行い、照明器具の位置などを確認しながらアドレスを設定していく必要があるので、照明器具が多くなると、アドレスの設定作業が面倒となってしまう。特に、アドレスの設定は、複数の照明器具の物理的配置に対応して、アドレスの大小関係または順番に規則性を持たせ、アドレスを付与することが要請されるので、アドレス設定の作業はより繁雑となる。
【０００６】
本発明の目的は、照明器具のアドレスを容易にしかも半自動的に付与できる照明システムを提供することである。
【課題を解決するための手段】
【０００７】
請求項１の発明に係わる照明システムは、ｎ行ｍ列の格子状に配設された複数の照明器具からなり、各々の前記照明器具は、行座標及び列座標で示された前記照明器具のアドレス設定情報及び前記ｎ行ｍ列の最大行数ｎのデータを照明光に重畳して可視光通信する送信手段と；前記送信手段から可視光通信されるデータの通信可能範囲を制御する通信可能範囲制御手段と；自己アドレスを記憶するための自己アドレス記憶部と；前記自己アドレス記憶部に自己アドレスが記憶されていないとき、自己以外の複数の照明器具の送信手段から送信されてきた前記アドレス設定情報及び前記最大行数ｎのデータを受信する受信手段と；前記受信手段で受信した複数のアドレス設定情報を行座標順に整列して記憶するとともに前記最大行数ｎを記憶する受信データ記憶部と；前記受信手段で最後のデータ受信をしてから所定時間の経過後に前記受信データ記憶部に記憶された複数のアドレス設定情報のうちの行座標が真ん中のアドレス設定情報を自己アドレスとして決定し前記自己アドレス記憶部に記憶するとともに、前記自己アドレス記憶部に記憶した自己アドレスの列座標に１を加算したアドレス設定情報を前記送信手段に出力するデータ処理手段と：を具備したことを特徴とする。
【０００８】
本発明及び以下の発明において用語の定義及び技術的意味は以下による。可視光通信とは、人の目に見える照明光に変調した光信号をデータとして重畳させて送信することをいう。行座標及び列座標で示された照明器具のアドレス設定情報とは、ｎ行ｍ列の格子状に配設された各々の照明器具のアドレスを設定するための行座標ｉ及び列座標ｊで示される情報（ｉ、ｊ）をいう。また、ｎ行ｍ列の最大行数ｎのデータとは、格子状に配設された複数の照明器具が、例えば、３行３列である場合には、最大行数は３となり、４行４列である場合には、最大行数は４となる。
【０００９】
送信手段から送信されるデータの通信可能範囲とは、照明光に変調して送信した可視光通信における光信号の受信可能範囲をいう。通信可能範囲制御手段は、可視光通信における光信号の受信可能範囲を設定制御する。自己アドレスとは、各々の照明器具に対して他の照明器具と重複しないように設定されるユニークなアドレスである。
【００１０】
受光素子は、例えば、光信号を電気信号に変換できる素子であり、照明光に変調して送信されてきた可視光通信における光信号を受信し電気信号に変換する。「複数のアドレス設定情報を行座標順に整列」とは、受信手段で受信した複数のアドレス設定情報の行座標の大きさ順（小さい順または大きい順）に並べることをいう。
【００１１】
「最後のデータ受信をしてから所定時間の経過後」とは、「新たなアドレス設定情報の受信がなくなってから所定時間の経過後」である。所定時間はアドレス設定のために照明器具が点灯と消灯とを繰り返す場合の点灯消灯インターバル時間に余裕時間を加えた時間である。
【００１２】
「受信データ記憶部に記憶された複数のアドレス設定情報」とは、アドレス設定のために他の照明器具が点灯と消灯とを繰り返した場合に、自己の照明器具の受信素子にて受信し、自己の受信データ記憶部に記憶した複数のアドレス設定情報をいう。
【００１３】
「複数のアドレス設定情報のうちの行座標が真ん中のアドレス設定情報」とは、複数のアドレス設定情報が奇数である場合には、行座標の大きさ順（小さい順または大きい順）に並べられた複数のアドレス設定情報の行座標が真ん中のアドレス設定情報である。
【００１４】
請求項２の発明に係わる照明システムは、請求項１の発明において、前記データ処理手段は、前記受信データ記憶部に記憶された複数のアドレス設定情報のうちの行座標が真ん中のアドレス設定情報がない場合には、複数のアドレス設定情報の行座標に前記最大行数ｎが含まれるアドレス設定情報が存在するか否かを判定し、前記最大行数ｎが含まれるアドレス設定情報が存在しない場合には行座標順に整列した複数のアドレス設定情報の最初行または最終行のいずれか一方にダミーの行座標を有するアドレス設定情報を追加し、前記最大行数ｎが含まれるアドレス設定情報が存在する場合には行座標順に整列した複数のアドレス設定情報の最初行または最終行のいずれか他方にダミーの行座標を有するアドレス設定情報を追加し、前記ダミーの行座標を有するアドレス設定情報を追加した複数のアドレス設定情報のうちの行座標が真ん中のアドレス設定情報を自己アドレスとして決定することを特徴とする。
【００１５】
本件発明は、請求項１の発明において、受信データ記憶部に記憶された複数のアドレス設定情報のうちの行座標が真ん中のアドレス設定情報がない場合に、行座標が真ん中のアドレス設定情報を得るようにしたものである。
【００１６】
請求項３の発明に係わる照明システムは、請求項１または２の発明において、前記データ処理手段は、自己アドレスが決定され前記自己アドレス記憶部に記憶された状態で、隣接する照明器具が消灯したときは、自己の照明器具を点灯し所定時間の経過後に消灯するとともに、自己の照明器具の点灯中において前記自己アドレス記憶部に記憶した自己アドレスの列座標に１を加算したアドレス設定情報を前記送信手段に出力することを特徴とする。
【００１７】
本件発明は、請求項１または２の発明において、アドレス設定のために照明器具を自動的に点灯と消灯とを繰り返すようにしたものである。
【発明の効果】
【００１８】
請求項１の発明によれば、アドレス設定のために他の照明器具が点灯と消灯とを繰り返した場合に、自己の照明器具の受信素子にて複数のアドレス設定情報を受信し、そのうちの行座標が真ん中のアドレス設定情報を自己アドレスとして決定するので、ｎ行ｍ列の格子状に配設された複数の照明器具のアドレス設定をアドレスが重複することなく自動的で行うことができる。
【００１９】
請求項２の発明によれば、受信データ記憶部に記憶された複数のアドレス設定情報のうちの行座標が真ん中のアドレス設定情報がない場合には、ダミーの行座標を有するアドレス設定情報を追加して行座標が真ん中のアドレス設定情報を得るので、照明器具の配設位置によって生じるアドレス設定情報の数の差異を修正でき、自動設定できる範囲を拡大できる。
【００２０】
請求項３の発明によれば、自己アドレスが決定された状態で、隣接する照明器具が消灯したときは自己の照明器具を点灯し、自己アドレスの列座標に１を加算したアドレス設定情報を送信し、所定時間の経過後に消灯するので、アドレス設定のための照明器具の点灯消灯を自動的に行うことができる。これにより、アドレス設定のエラーを低減し、アドレス設定をより容易に行うことができる。
【発明を実施するための最良の形態】
【００２１】
図１は本発明の実施の形態に係わる照明システムの構成図である。複数の照明器具１１ａ〜１１ｉは、例えば、建家の天井にｎ行ｍ列の格子状に配設されて照明システムが構成される。図１では、合計９個の照明器具１１ａ〜１１ｉが３行３列（ｎ＝３、ｍ＝３）に配列された照明システムを示している。各々の照明器具１１ａ〜１１ｉは同一構成であるので、照明器具１１ａについて説明する。
【００２２】
送信手段１２は、可視光通信するデータを照明光に重畳して送信するものである。また、可視光通信データは、照明器具１１のアドレスを設定するための情報であり、行座標及び列座標で示された照明器具のアドレス設定情報（ｘ、ｙ）及びｎ行ｍ列の最大行数ｎである。詳細は後述するが、３行３列（ｎ＝３、ｍ＝３）である場合には、最大行数は３となる。
【００２３】
通信可能範囲制御手段１３は、送信手段１２から可視光通信されるデータの通信可能範囲を制御するものである。例えば、図２に示すように、データを送信する自己の照明器具１１（発信元）を中心にして、全周囲に位置する８個の照明器具１１にデータが通信できるように通信可能範囲を制御する。以下の説明では、通信可能範囲は、図２に示す発信元の照明器具の全周囲に位置する８個の照明器具１１の範囲とする。
【００２４】
自己アドレス記憶部１４は自己アドレスを記憶するものであり、自己アドレス記憶部１４には、データ処理手段１５で自己のアドレスとして決定された自己アドレスが記憶される。
【００２５】
受信手段１６は外部からの可視光通信データを受信するものであり、自己アドレス記憶部１４に自己アドレスが記憶されていないときに、自己以外の複数の照明器具１１の送信手段１２から送信されてきたアドレス設定情報（ｘ、ｙ）や最大行数ｎのデータを受信したときは、受信データ記憶部１７に、複数のアドレス設定情報（ｘ、ｙ）を行座標順に整列して記憶する。
【００２６】
データ処理手段１５は、受信手段１６で最後のデータ受信をしてから所定時間の経過後に、受信データ記憶部１７に記憶された複数のアドレス設定情報（ｘ、ｙ）のうちの行座標が真ん中のアドレス設定情報（ｘｍ、ｙｍ）を自己アドレスとして決定し、自己アドレス記憶部１４に記憶する。
【００２７】
一方、受信データ記憶部１４に記憶された複数のアドレス設定情報（ｘ、ｙ）のうちの行座標が真ん中のアドレス設定情報（ｘｍ、ｙｍ）がない場合には、複数のアドレス設定情報（ｘ、ｙ）の行座標に最大行数ｎが含まれるアドレス設定情報（ｎ、ｙ）が存在するか否かを判定し、最大行数ｎが含まれるアドレス設定情報（ｎ、ｙ）が存在しない場合には行座標順に整列した複数のアドレス設定情報の最初行または最終行のいずれか一方にダミーの行座標を有するアドレス設定情報（０、ｙ）を追加する。この場合、アドレス設定情報が行座標の小さい順に並んでいるときは、ダミーの行座標を有するアドレス設定情報（０、ｙ）を最初行に追加し、アドレス設定情報が行座標の大きい順に並んでいるときは、ダミーの行座標を有するアドレス設定情報（０、ｙ）を最終行に追加する。
【００２８】
また、最大行数ｎが含まれるアドレス設定情報（ｎ、ｙ）が存在する場合には行座標順に整列した複数のアドレス設定情報の最初行または最終行のいずれか他方にダミーの行座標を有するアドレス設定情報（ｎ＋１、ｙ）を追加する。
【００２９】
この場合、アドレス設定情報が行座標の小さい順に並んでいるときは、ダミーの行座標を有するアドレス設定情報（ｎ＋１、ｙ）を最終行に追加し、アドレス設定情報が行座標の大きい順に並んでいるときは、ダミーの行座標を有するアドレス設定情報（ｎ＋１、ｙ）を最初行に追加する。
【００３０】
そして、ダミーの行座標を有するアドレス設定情報（ｎ＋１、ｙ）を追加した複数のアドレス設定情報（ｘ、ｙ）のうちの行座標が真ん中のアドレス設定情報（ｘｍ、ｙｍ）を自己アドレスとして決定し、自己アドレス記憶部１４に記憶する。
【００３１】
また、データ処理手段１５は、自己の照明器具１１の点灯中において、自己アドレス記憶部１４に記憶した自己アドレスの列座標に１を加算したアドレス設定情報（ｘ、ｙ＋１）を作成し送信手段１２に出力する。送信手段１２は、データ処理手段１５で作成されたアドレス設定情報（ｘ、ｙ＋１）及び最大行数ｎを照明器具１１の照明光に重畳させて可視光通信する。
【００３２】
さらに、また、データ処理手段１５は、自己アドレスが決定され自己アドレス記憶部１４に記憶された状態で、隣接する照明器具１１が消灯したときは、自己の照明器具１１を点灯し所定時間Ｔ１の経過後に消灯する。
【００３３】
次に、３行３列の格子状に配設された９個の照明器具１１ａ〜１１ｉにアドレスを設定する場合について説明する。まず、１列目の照明器具１１ａ、１１ｄ、１１ｇには、予めアドレスを設定しておく。照明器具１１ａには予めアドレス（１、１）、照明器具１１ｄには予めアドレス（２、１）、照明器具１１ｇには予めアドレス（３、１）を設定しておく。
【００３４】
この状態で、まず、１行１列の照明器具１１ａのみを点灯し、送信手段１２からアドレス設定情報（ｘ、ｙ）及び最大行数ｎを照明器具１１の照明光に重畳させて可視光通信する。照明器具１１ａから可視光通信するアドレス設定情報（ｘ、ｙ）は、照明器具１１ａのアドレス（１、１）の列座標に１を加算したアドレス設定情報（１、２）である。
【００３５】
図３は、アドレス設定動作の際の照明器具の点灯及び可視光通信データの受信の説明図である。図３（ａ）に示すように、１行１列の照明器具１１ａが点灯し可視光通信している場合、通信可能範囲を図２のように定めているので、１行１列の照明器具１１ａが可視光通信で送信している可視光通信データを受信できる照明器具は、３個の照明器具１１ｂ、１１ｄ、１１ｅである。
【００３６】
２行１列の照明器具１１ｄには、前述したように、予めアドレス（２、１）が設定されているので、自己アドレス記憶部１４には既に自己アドレスが記憶されている。従って、１行１列の照明器具１１ａが可視光通信で送信している可視光通信データを受信するのは照明器具１１ｂ、１１ｅであり、照明器具１１ｂ、１１ｅは、１行１列の照明器具１１ａが可視光通信で送信しているアドレス設定情報（１、２）を受信手段１６で受信し受信データ記憶部１７に記憶する。１行１列の照明器具１１ａは所定時間Ｔ１だけ点灯して可視光通信を行うと消灯する。
【００３７】
次に、照明器具１１ａが消灯すると、図３（ｂ）に示すように、照明器具１１ａに隣接し、かつ自己アドレスが記憶されている照明器具１１ｄが点灯し可視光通信を開始する。なお、１行１列の照明器具１１ａに隣接する照明器具１１ｂ、１１ｄ、１１ｅのうち、自己アドレス記憶部１４に自己アドレスが記憶されているのは照明器具１１ｄだけである。
【００３８】
照明器具１１ｄから可視光通信するアドレス設定情報（ｘ、ｙ）は、照明器具１１ｄのアドレス（２、１）の列座標に１を加算したアドレス設定情報（２、２）である。２行１列の照明器具１１ｄが点灯し可視光通信している場合、通信可能範囲にある照明器具は、５個の照明器具１１ａ、１１ｂ、１１ｅ、１１ｇ、１１ｈである。前述したように、１行１列の照明器具１１ａには予めアドレス（１、１）が設定され、３行１列の照明器具１１ｇには予めアドレス（３、１）が設定されているので、照明器具１１ａ、１１ｇの自己アドレス記憶部１４には既に自己アドレスが記憶されている。従って、２行１列の照明器具１１ｄが可視光通信で送信している可視光通信データを受信するのは照明器具１１ｂ、１１ｅ、１１ｈであり、照明器具１１ｂ、１１ｅ、１１ｈは、照明器具１１ｄが可視光通信で送信しているアドレス設定情報（２、２）を受信手段１６で受信し受信データ記憶部１７に記憶する。照明器具１１ｄは所定時間Ｔ１だけ点灯して可視光通信を行うと消灯する。
【００３９】
次に、照明器具１１ｄが消灯すると、図３（ｃ）に示すように、照明器具１１ｄに隣接し、かつ自己アドレス記憶部１４に自己アドレスが記憶されている照明器具１１ｇが点灯し可視光通信を開始する。なお、２行１列の照明器具１１ｄに隣接する照明器具１１ａ、１１ｂ、１１ｅ、１１ｇ、１１ｈのうち、自己アドレス記憶部１４に自己アドレスが記憶されているのは照明器具１１ｇだけである。
【００４０】
照明器具１１ｇから可視光通信するアドレス設定情報（ｘ、ｙ）は、照明器具１１ｇのアドレス（３、１）の列座標に１を加算したアドレス設定情報（３、２）である。３行１列の照明器具１１ｇが点灯し可視光通信している場合、通信可能範囲にある照明器具は、３個の照明器具１１ｄ、１１ｅ、１１ｈである。前述したように、２行１列の照明器具１１ｄには予めアドレス（２、１）が設定されているので、照明器具１１ｄの自己アドレス記憶部１４には既に自己アドレスが記憶されている。従って、３行１列の照明器具１１ｇが可視光通信で送信している可視光通信データを受信するのは照明器具１１ｅ、１１ｈであり、照明器具１１ｅ、１１ｈは、照明器具１１ｇが可視光通信で送信しているアドレス設定情報（３、２）を受信手段１６で受信し受信データ記憶部１７に記憶する。照明器具１１ｇは所定時間Ｔ１だけ点灯して可視光通信を行うと消灯する。
【００４１】
図４は、２列目の照明器具１１ｂ、１１ｅ、１１ｈの受信データ記憶部１７に記憶されたアドレス設定情報（ｘ、ｙ）の説明図である。図４に示すように、１列目の照明器具１１ａ、１１ｄ、１１ｇの自己アドレス記憶部１４には、照明器具１１ａ、１１ｄ、１１ｇのアドレス（１、１）、（２、１）、（３、１）が記憶されている。また、１行２列の照明器具１１ｂの受信データ記憶部１７には、照明器具１１ａからのアドレス設定情報（１、２）、照明器具１１ｄからのアドレス設定情報（２、２）が行座標順に整列して記憶され、２行２列の照明器具１１ｅの受信データ記憶部１７には、照明器具１１ａからのアドレス設定情報（１、２）、照明器具１１ｄからのアドレス設定情報（２、２）、照明器具１１ｇからのアドレス設定情報（３、２）が行座標順に整列して記憶され、３行２列の照明器具１１ｈの受信データ記憶部１７には、照明器具１１ｄからのアドレス設定情報（２、２）、照明器具１１ｇからのアドレス設定情報（３、２）が行座標順に整列して記憶される。
【００４２】
２行２列の照明器具１１ｅの受信データ記憶部１７に記憶されたアドレス設定情報の個数は３であり奇数であるので、行座標が真ん中のアドレス設定情報（ｘｍ、ｙｍ）を特定することができる。すなわち、（１、２）、（２、２）、（３、２）のうちの（２、２）を照明器具１１ｅの自己アドレスとして決定し、自己アドレス記憶部１４に記憶する。
【００４３】
一方、１行２列の照明器具１１ｂ及び３行２列の照明器具１１ｈの受信データ記憶部１７に記憶されたアドレス設定情報の個数は２であり偶数であるので、行座標が真ん中のアドレス設定情報（ｘｍ、ｙｍ）を特定することができない。
【００４４】
そこで、前述したように、データ処理手段１５は、複数のアドレス設定情報（ｘ、ｙ）の行座標ｘに最大行数ｎが含まれるアドレス設定情報（ｎ、ｙ）が存在するか否かを判定し、最大行数ｎが含まれるアドレス設定情報（ｎ、ｙ）が存在しない場合には行座標順に整列した複数のアドレス設定情報の最初行または最終行にダミーの行座標を有するアドレス設定情報（０、ｙ）を追加する。また、最大行数ｎが含まれるアドレス設定情報（ｎ、ｙ）が存在する場合には行座標順に整列した複数のアドレス設定情報の最終行または最初行にダミーの行座標を有するアドレス設定情報（ｎ＋１、ｙ）を追加する。
【００４５】
そして、ダミーの行座標を有するアドレス設定情報（０、ｙ）、（ｎ＋１、ｙ）を追加した複数のアドレス設定情報（ｘ、ｙ）のうちの行座標が真ん中のアドレス設定情報（ｘｍ、ｙｍ）を自己アドレスとして決定し自己アドレス記憶部１４に記憶する。
【００４６】
例えば、１行２列の照明器具１１ｂのデータ受信部１７には、アドレス設定情報（ｘ、ｙ）として、（１、２）、（２、２）が行座標が小さい順に記憶されており、最大行数３が含まれるアドレス設定情報は記憶されていない。そこで、図５に示すように、（０、２）のダミーの行座標を有するアドレス設定情報を最初行に追加する。そして、ダミーの行座標を有するアドレス設定情報（０、２）を追加した複数のアドレス設定情報（０、２）、（１、２）、（２、２）のうちの行座標が真ん中のアドレス設定情報（１、２）を照明器具１１ｂの自己アドレスとして決定し、照明器具１１ｂの自己アドレス記憶部１４に記憶する。なお、アドレス設定情報（ｘ、ｙ）として、（２、２）、（１、２）と、行座標が大きい順に記憶されている場合には、（０、２）のダミーの行座標を有するアドレス設定情報を最終行に追加することになる。
【００４７】
一方、３行２列の照明器具１１ｈのデータ受信部１７には、アドレス設定情報（ｘ、ｙ）として、（２、２）、（３、２）が行座標が小さい順に記憶されており、最大行数３が含まれるアドレス設定情報（３、２）が記憶されているので、図５に示すように、（４、２）のダミーの行座標を有するアドレス設定情報を最終行に追加する。そして、ダミーの行座標を有するアドレス設定情報（４、２）を追加した複数のアドレス設定情報（２、２）、（３、２）、（４、２）のうちの行座標が真ん中のアドレス設定情報（３、２）を照明器具１１ｈの自己アドレスとして決定し、照明器具１１ｈの自己アドレス記憶部１４に記憶する。なお、アドレス設定情報（ｘ、ｙ）として、（３、２）、（２、２）と、行座標が大きい順に記憶されている場合には、（４、２）のダミーの行座標を有するアドレス設定情報を最初行に追加することになる。
【００４８】
これにより、照明器具１１ｂのアドレスは（１、２）、と設定され、照明器具１１ｅのアドレスは（２、２）と設定され、照明器具１１ｈのアドレスは（３、２）と設定される。
【００４９】
次に、照明器具１１ｇが消灯すると、図３（ｄ）に示すように、照明器具１１ｇに隣接し、かつ、自己アドレス記憶部１４に自己アドレスが記憶されている照明器具１１ｈが点灯し可視光通信を開始する。照明器具１１ｈから可視光通信するアドレス設定情報（ｘ、ｙ）は、照明器具１１ｈのアドレス（３、２）の列座標に１を加算したアドレス設定情報（３、３）である。
【００５０】
照明器具１１ｈが点灯し可視光通信している場合、通信可能範囲にある照明器具は、５個の照明器具１１ｄ、１１ｅ、１１ｆ、１１ｇ、１１ｉである。前述したように、照明器具１１ｄ、１１ｇには予めアドレス（２、１）、（３、１）が設定され、照明器具１１ｄ、１１ｇの自己アドレス記憶部１４には既に自己アドレス（２、１）、（３、１）が記憶されている。また、照明器具１１ｅの自己アドレス記憶部１４にも既にアドレスが決定され自己アドレス（２、２）が記憶されている。従って、照明器具１１ｈが可視光通信で送信している可視光通信データを受信するのは照明器具１１ｆ、１１ｉであり、照明器具１１ｆ、１１ｉは、照明器具１１ｈが可視光通信で送信しているアドレス設定情報（３、３）を受信手段１６で受信し受信データ記憶部１７に記憶する。照明器具１１ｈは所定時間Ｔ１だけ点灯して可視光通信を行うと消灯する。
【００５１】
次に、照明器具１１ｈが消灯すると、図３（ｅ）に示すように、照明器具１１ｈに隣接し、かつ、自己アドレス記憶部１４に自己アドレスが記憶されている照明器具１１ｅが点灯し可視光通信を開始する。照明器具１１ｅから可視光通信するアドレス設定情報（ｘ、ｙ）は、照明器具１１ｅのアドレス（２、２）の列座標に１を加算したアドレス設定情報（２、３）である。
【００５２】
照明器具１１ｅが点灯し可視光通信している場合、通信可能範囲にある照明器具は、８個の照明器具１１ａ、１１ｂ、１１ｃ、１１ｄ、１１ｆ、１１ｇ、１１ｈ、１１ｉである。前述したように、照明器具１１ａ、１１ｄ、１１ｇには予めアドレス（１、１）、（２、１）、（３、１）が設定され、照明器具１１ａ、１１ｄ、１１ｇの自己アドレス記憶部１４には既に自己アドレス（１、１）、（２、１）、（３、１）が記憶されている。また、照明器具１１ｂ、１１ｈの自己アドレス記憶部１４にも既にアドレスが決定され自己アドレス（１、２）、（３、２）が記憶されている。従って、照明器具１１ｅが可視光通信で送信している可視光通信データを受信するのは照明器具１１ｃ、１１ｆ、１１ｉであり、照明器具１１ｃ、１１ｆ、１１ｉは、照明器具１１ｅが可視光通信で送信しているアドレス設定情報（２、３）を受信手段１６で受信し受信データ記憶部１７に記憶する。照明器具１１ｅは所定時間Ｔ１だけ点灯して可視光通信を行うと消灯する。
【００５３】
次に、照明器具１１ｅが消灯すると、図３（ｆ）に示すように、照明器具１１ｅに隣接し、かつ、自己アドレス記憶部１４に自己アドレスが記憶されている照明器具１１ｂが点灯し可視光通信を開始する。照明器具１１ｂから可視光通信するアドレス設定情報（ｘ、ｙ）は、照明器具１１ｂのアドレス（１、２）の列座標に１を加算したアドレス設定情報（１、３）である。
【００５４】
照明器具１１ｂが点灯し可視光通信している場合、通信可能範囲にある照明器具は、５個の照明器具１１ａ、１１ｃ、１１ｄ、１１ｅ、１１ｆである。前述したように、照明器具１１ａ、１１ｄには予めアドレス（１、１）、（２、１）が設定され、照明器具１１ａ、１１ｄの自己アドレス記憶部１４には既に自己アドレス（１、１）、（２、１）が記憶されている。また、照明器具１１ｅの自己アドレス記憶部１４にも既にアドレスが決定され自己アドレス（２、２）が記憶されている。従って、照明器具１１ｂが可視光通信で送信している可視光通信データを受信するのは照明器具１１ｃ、１１ｆであり、照明器具１１ｃ、１１ｆは、照明器具１１ｂが可視光通信で送信しているアドレス設定情報（１、３）を受信手段１６で受信し受信データ記憶部１７に記憶する。照明器具１１ｂは所定時間Ｔ１だけ点灯して可視光通信を行うと消灯する。
【００５５】
図６は、３列目の照明器具１１ｃ、１１ｆ、１１ｉの受信データ記憶部１７に記憶されたアドレス設定情報（ｘ、ｙ）の説明図である。図６に示すように、２列目の照明器具１１ｂ、１１ｅ、１１ｈの自己アドレス記憶部１４には、照明器具１１ｂ、１１ｅ、１１ｈのアドレス（１、２）、（２、２）、（３、２）が記憶されている。また、１行３列の照明器具１１ｃの受信データ記憶部１７には、照明器具１１ｂからのアドレス設定情報（１、３）、照明器具１１ｅからのアドレス設定情報（２、３）が行座標順に整列して記憶され、２行３列の照明器具１１ｅの受信データ記憶部１７には、照明器具１１ｂからのアドレス設定情報（１、３）、照明器具１１ｅからのアドレス設定情報（２、３）、照明器具１１ｈからのアドレス設定情報（３、３）が行座標順に整列して記憶され、３行３列の照明器具１１ｆの受信データ記憶部１７には、照明器具１１ｅからのアドレス設定情報（２、３）、照明器具１１ｈからのアドレス設定情報（３、３）が行座標順に整列して記憶される。
【００５６】
２行３列の照明器具１１ｆの受信データ記憶部１７に記憶されたアドレス設定情報の個数は３であり奇数であるので、行座標が真ん中のアドレス設定情報（ｘｍ、ｙｍ）を特定することができる。すなわち、（１、３）、（２、３）、（３、３）のうちの（２、３）を照明器具１１ｆの自己アドレスとして決定し、照明器具１１ｆの自己アドレス記憶部１４に記憶する。
【００５７】
一方、１行３列の照明器具１１ｃ及び３行３列の照明器具１１ｉの受信データ記憶部１７に記憶されたアドレス設定情報の個数は２であり偶数であるので、行座標が真ん中のアドレス設定情報（ｘｍ、ｙｍ）を特定することができない。そこで、前述したように、ダミーの行座標を有するアドレス設定情報を追加して行座標が真ん中のアドレス設定情報（ｘｍ、ｙｍ）を自己アドレスとして決定し自己アドレス記憶部１４に記憶する。
【００５８】
例えば、１行３列の照明器具１１ｃのデータ受信部１７には、アドレス設定情報（ｘ、ｙ）として、（１、３）、（２、３）が行座標が小さい順に記憶されており、最大行数３（ｎ＝３）が含まれるアドレス設定情報は記憶されていない。そこで、図７に示すように、（０、３）のダミーの行座標を有するアドレス設定情報を最初行に追加する。そして、ダミーの行座標を有するアドレス設定情報（０、３）を追加した複数のアドレス設定情報（０、３）、（１、３）、（２、３）のうちの行座標が真ん中のアドレス設定情報（１、３）を照明器具１１ｃの自己アドレスとして決定し、照明器具１１ｃの自己アドレス記憶部１４に記憶する。
【００５９】
なお、アドレス設定情報（ｘ、ｙ）として、（２、３）、（１、３）と、行座標が大きい順に記憶されている場合には、（０、３）のダミーの行座標を有するアドレス設定情報を最終行に追加することになる。
【００６０】
一方、３行３列の照明器具１１ｉのデータ受信部１７には、アドレス設定情報（ｘ、ｙ）として、（２、３）、（３、３）が記憶されており、最大行数３が含まれるアドレス設定情報（３、３）が記憶されているので、図７に示すように、（４、３）のダミーの行座標を有するアドレス設定情報を最終行に追加する。そして、ダミーの行座標を有するアドレス設定情報（４、３）を追加した複数のアドレス設定情報（２、３）、（３、３）、（４、３）のうちの行座標が真ん中のアドレス設定情報（３、３）を照明器具１１ｉの自己アドレスとして決定し、照明器具１１ｉの自己アドレス記憶部１４に記憶する。なお、アドレス設定情報（ｘ、ｙ）として、（３、３）、（２、３）と、行座標が大きい順に記憶されている場合には、（４、３）のダミーの行座標を有するアドレス設定情報を最初行に追加することになる。
【００６１】
これにより、照明器具１１ｃのアドレスは（１、３）、と設定され、照明器具１１ｆのアドレスは（２、３）と設定され、照明器具１１ｉのアドレスは（３、３）と設定される。
【００６２】
このように、アドレス設定を行うにあたっては、ｎ行ｍ列の格子状に配設された複数の照明器具１１を順次点灯消灯して可視光通信を行い、各々の照明器具１１にアドレスを設定していくことになる。
【００６３】
次に、アドレス設定の際における複数の照明器具１１の点灯消灯及び可視光通信でのデータ送受信について説明する。
【００６４】
図８は、照明器具１１のデータ処理手段１５での可視光通信における送信処理内容を示すフローチャートである。まず、自己アドレス記憶部１４に自己アドレスが記憶されているか否かを判定し（Ｓ１）、自己アドレスが記憶されている場合には、隣接する照明器具１１は消灯としているか否かを判定する（Ｓ２）。そして、隣接する照明器具１１が消灯しているときは、自己の照明器具を点灯する（Ｓ３）。そして、自己のアドレスの列座標に１を加算したアドレス設定情報送信手段１２に出力する（Ｓ４）。これにより、送信手段１２は可視光通信により自己のアドレスの列座標に１を加算したアドレス設定情報をデータ送信することになる。そして、所定時間Ｔ１を経過したか否かを判定し（Ｓ５）、所定時間Ｔ１を経過したときは自己の照明器具を消灯する（Ｓ６）。
【００６５】
既に自己アドレスが設定されている照明器具１１を点灯対象とするのは、点灯対象の照明器具１１から新たに付与するアドレス設定情報を送信するためである。また、隣接する照明器具１１が消灯していることを確認して点灯するのは、可視光通信が混線することを避けるためである。自己のアドレスの列座標に１を加算したアドレス設定情報をデータ送信するのは、各々の照明器具１１のアドレスが重複しないようにするためである。所定時間Ｔ１は、可視光通信の通信可能範囲にある照明器具１１が可視光通信データを確実に受信できる時間に余裕を見込んだ時間が設定される。
【００６６】
図９は、照明器具１１のデータ処理手段１５での可視光通信における受信処理内容を示すフローチャートである。まず、受信した可視光通信データは新たなデータであるか否かを判定し（Ｓ１１）、新たなデータであるときは受信データを記憶する（Ｓ１２）。すなわち、アドレス設定情報（ｘ、ｙ）が新たなデータであるときは、受信データ記憶部１７に受信したアドレス設定情報（ｘ、ｙ）を記憶する。
【００６７】
ステップＳ１１の判定で新たなデータでないときは、所定時間Ｔ２を経過したか否かを判定し（Ｓ１３）、所定時間Ｔ２を経過していないときはステップＳ１１に戻る。所定時間Ｔ２は通信可能範囲のすべての照明器具１１から可視光通信されてくる可視光通信データを受信するために必要な時間に余裕値を加えた時間が設定される。本発明の実施の形態の場合には、通信可能範囲の可視光通信データは最大で３個であるので、３個の照明器具１１からそれそれのアドレス設定情報（ｘ、ｙ）を確実に受信できる時間、すなわち、Ｔ２＞３Ｔ１＋αに設定される。Ｔ１は照明器具１１が点灯する所定時間、αは照明器具１１が消灯してから次の隣接する照明器具１１が点灯するまでの時間の合計時間である。
【００６８】
所定時間Ｔ２を経過すると、アドレス設定の際に必要となる最大で３個のアドレス設定情報（ｘ、ｙ）は受信データ記憶部１７に記憶されている。そこで、受信データ記憶部１７に記憶されているアドレス設定情報（ｘ、ｙ）を行座標順に整列する（Ｓ１４）。例えば、小さい順に整列する。そして、複数のアドレス設定情報に行座標が真ん中があるか否かを判定し（Ｓ１５）、行座標が真ん中がある場合には、行座標が真ん中のアドレス設定情報（ｘｍ、ｙｍ）を自己アドレスとして自己アドレス記憶部１４に記憶する（Ｓ１６）。例えば、図４の照明器具１１ｅの受信データ記憶部１７には、アドレス設定情報（１、２）（２、２）（３、２）が記憶されているので、行座標が真ん中の（２、２）をアドレスとして記憶する。
【００６９】
ステップＳ１５の判定で行座標が真ん中がない場合には、複数のアドレス設定情報のうち、行座標に最大行数ｎがあるか否かを判定し（Ｓ１７）、最大行数ｎがある場合には複数のアドレス情報の最終行にダミーの行座標を有するアドレス設定情報を追加し（Ｓ１８）、行座標が真ん中のアドレス設定情報（ｘｍ、ｙｍ）を自己アドレスとして自己アドレス記憶部１４に記憶する（Ｓ１６）。例えば、図５の照明器具１１ｈの受信データ記憶部１７のように、ダミーの行座標を有するアドレス設定情報（４、２）を追加して、行座標が真ん中の（３、２）をアドレスとして記憶する。
【００７０】
一方、ステップＳ１７の判定で、最大行数ｎがない場合には複数のアドレス情報の最初行にダミーの行座標を有するアドレス設定情報を追加し（Ｓ１９）、行座標が真ん中のアドレス設定情報（ｘｍ、ｙｍ）を自己アドレスとして自己アドレス記憶部１４に記憶する（Ｓ１６）。例えば、図５の照明器具１１ｂの受信データ記憶部１７のように、ダミーの行座標を有するアドレス設定情報（０、２）を追加して、行座標が真ん中の（１、２）をアドレスとして記憶する。
【００７１】
本発明の実施の形態では、１列目の照明器具１１ａ、１１ｄ、１１ｇに関しては初期設定として予めアドレス（１、１）、（２、１）、（３、１）を設定しておき、それぞれの照明器具１１は列番が１つ増加したアドレス設定情報と最大行数ｎを隣接する照明器具に可視光通信する。そして、隣接する照明器具１１の消灯に応じて、次のアドレスの照明器具１１を点灯して可視光通信を行いアドレス設定情報をリレー方式で送信する。アドレスが未設定の照明器具は可視光通信されたアドレス設定情報のうちの行座標が真ん中のアドレス設定情報を自己のアドレスとして設定する。行座標が真ん中のアドレス情報がない場合にはダミーの行座標を有するアドレス設定情報を追加して行座標が真ん中のアドレス情報を得るようにする。
【００７２】
従って、アドレス設定を自動的に行うことができ、物理的配置とアドレスの大小関係とに規則性を持たせて設定できる。また、照明器具の配設位置によって生じる受信アドレス数の差異によるアドレス設定時のエラーをなくすことができる。
【００７３】
以上の説明では、複数のアドレス設定情報に行座標が真ん中のアドレス設定情報がない場合には、ダミーの行座標を有するアドレス設定情報を追加して行座標が真ん中のアドレス設定情報を得るようにしたが、複数のアドレス設定情報に行座標が真ん中のアドレス設定情報がない場合には、手動でアドレス設定をするようにしてもよい。
【図面の簡単な説明】
【００７４】
【図１】本発明の実施の形態に係わる照明システムの構成図。
【図２】本発明の実施の形態における通信可能範囲制御手段での送信手段から可視光通信されるデータの通信可能範囲の説明図。
【図３】本発明の実施の形態に係わるアドレス設定動作の際の照明器具の点灯及び可視光通信データの受信の説明図。
【図４】本発明の実施の形態における２列目の照明器具の受信データ記憶部に記憶されたアドレス設定情報の説明図。
【図５】図４のアドレス設定情報にダミーの行座標を有するアドレス設定情報を追加した場合の２列目の照明器具の受信データ記憶部の説明図。
【図６】本発明の実施の形態における３列目の照明器具の受信データ記憶部に記憶されたアドレス設定情報の説明図。
【図７】図６のアドレス設定情報にダミーの行座標を有するアドレス設定情報を追加した場合の３列目の照明器具の受信データ記憶部の説明図。
【図８】本発明の実施の形態における照明器具のデータ処理手段での可視光通信の送信処理内容を示すフローチャートである。
【図９】本発明の実施の形態における照明器具のデータ処理手段での可視光通信の受信処理内容を示すフローチャートである。
【符号の説明】
【００７５】
１１…照明器具、１２…送信手段、１３…通信可能範囲制御手段、１４…自己アドレス記憶部、１５…データ処理手段、１６…受信手段、１７…受信データ記憶部
【図１】
2010073634.tif 000003
【図２】
2010073634.tif 000004
【図３】
2010073634.tif 000005
【図４】
2010073634.tif 000006
【図５】
2010073634.tif 000007
【図６】
2010073634.tif 000008
【図７】
2010073634.tif 000009
【図８】
2010073634.tif 000010
【図９】
2010073634.tif 000011